(57)【要約】【課題】工作機械や自動車の入力操作等に使用されるパネルスイッチに関し、ケースや基板の反りを防止し、電気的接離の安定したものを提供することを目的とする。【解決手段】可動接点３Ｂと固定接点４Ｂが所定の間隙を空けて対向する上シート３及び下シート４を上面に載置した基板１１の、複数の貫通孔１１Ｂ近傍に下方へ突出するストッパ部１１Ａを設けることによって、機器への取付けの際、ネジ１０をシャーシ板９へ強く締付けても、ケース６や基板１１の反りを防止することができるため、電気的接離の安定したパネルスイッチを得ることができる。【選択図】図１
2005056696.tif 000002
【特許請求の範囲】
【請求項１】
下面に可動接点が形成された上シートと、この可動接点と所定の間隙を空けて対向する固定接点が上面に形成された下シートと、複数の貫通孔が形成され上記上下シートを上面に載置した基板からなり、上記基板の貫通孔近傍に下方へ突出するストッパ部を設けたパネルスイッチ。
【請求項２】
ストッパ部を貫通孔よりも基板の外方に設けた請求項１記載のパネルスイッチ。
【請求項３】
基板上面を凹状、下面を凸状に折曲してストッパ部を形成した請求項１記載のパネルスイッチ。
【発明の詳細な説明】
【技術分野】
【０００１】
本発明は、工作機械や自動車の入力操作等に使用されるパネルスイッチに関するものである。
【背景技術】
【０００２】
近年、工作機械や自動車の操作部の薄型化や高機能化が進むなか、これに使用されるパネルスイッチにも、薄型でかつ確実な入力操作の可能なものが求められている。
【０００３】
このような従来のパネルスイッチについて、図３を用いて説明する。
【０００４】
図３は従来のパネルスイッチの断面図であり、同図において、１はゴム等のボタンで、下面に押圧部１Ａが形成されると共に、下方外周に形成された薄肉部１Ｂによって、節度感をもって上下動可能なように形成されている。
【０００５】
そして、３はフィルム状の可撓性を有する上シート、４は同じく下シートで、上シート３下面には複数の可動接点３Ｂ、下シート４上面には可動接点３Ｂと所定の間隙を空けて対向する複数の固定接点４Ｂが各々形成されると共に、上シート３下面の上絶縁層３Ａと下シート４上面の下絶縁層４Ａとが、加熱加圧によって貼り合わされてメンブレンスイッチ２が形成されている。
【０００６】
また、５は亜鉛メッキ鋼板等の基板で、端部に複数の貫通孔５Ａが設けられると共に、基板５上面には両面テープ（図示せず）等により下シート４下面が貼り付けられて、メンブレンスイッチ２が載置されている。
【０００７】
さらに、６はメンブレンスイッチ２や基板５等を覆う絶縁樹脂製のケースで、このケース６上面の開口孔から複数のボタン１が突出して、パネルスイッチ７が構成されている。
【０００８】
そして、このように構成されたパネルスイッチ７は、基板５裏面に防水用のゴムシート８を挟んで、機器のシャーシ板９へネジ１０により締付けられ固定される。
【０００９】
以上の構成において、所定のボタン１を下方へ押圧操作すると、ボタン１下面の押圧部１Ａに上面を押圧された上シート３が撓んで、この下面の可動接点３Ｂが下シート４上面の固定接点４Ｂに接触し、ボタン１への押圧力を解除すると、上シート３の弾性復帰力により可動接点３Ｂが固定接点４Ｂから離れることによって、スイッチとしての電気的接離が行なわれるように構成されているものであった。
【００１０】
なお、この出願の発明に関連する先行技術文献情報としては、例えば、特許文献１が知られている。
【特許文献１】特開平１０−８３７３３号公報
【発明の開示】
【発明が解決しようとする課題】
【００１１】
しかしながら、上記従来のパネルスイッチにおいては、機器への取付けの際、ネジ１０をシャーシ板９へ強く締付けると、ケース６や基板５の中央部が上方へ反ってしまい、これによってメンブレンスイッチ２の可動接点３Ｂと固定接点４Ｂの間隙が変化するため、スイッチとしての電気的接離が不安定になるという課題があった。
【００１２】
本発明は、このような従来の課題を解決するものであり、ケース６や基板５の反りを防止し、電気的接離の安定したパネルスイッチを提供することを目的とする。
【課題を解決するための手段】
【００１３】
上記目的を達成するために本発明は、以下の構成を有するものである。
【００１４】
本発明の請求項１に記載の発明は、可動接点と固定接点が所定の間隙を空けて対向する上下シートを上面に載置した基板の、複数の貫通孔近傍に下方へ突出するストッパ部を設けてパネルスイッチを構成したものであり、機器への取付けの際、ネジをシャーシ板へ強く締付けても、ストッパ部がシャーシ板へ当接することによって、ケースや基板の反りを防止することができるため、電気的接離の安定したパネルスイッチを得ることができるという作用を有する。
【００１５】
請求項２に記載の発明は、請求項１記載の発明において、ストッパ部を貫通孔よりも基板の外方に設けたものであり、ネジ締付け時に、ケースや基板の中央部に下方向への力が加わるため、さらに上方への反りを生じ難くすることができるという作用を有する。
【００１６】
請求項３に記載の発明は、請求項１記載の発明において、基板上面を凹状、下面を凸状に折曲してストツパ部を形成したものであり、プレス加工等の簡易な方法でストッパ部を形成できるため、パネルスイッチを安価なものとすることができるという作用を有する。
【発明の効果】
【００１７】
以上のように本発明によれば、反りが少なく、電気的接離の安定したパネルスイッチを実現することができるという有利な効果が得られる。
【発明を実施するための最良の形態】
【００１８】
以下、本発明の実施の形態について、図１及び図２を用いて説明する。
【００１９】
なお、背景技術の項で説明した構成と同一構成の部分には同一符号を付して、詳細な説明を簡略化する。
【００２０】
（実施の形態）
図１は本発明の一実施の形態によるパネルスイッチの断面図であり、同図において、１はシリコンゴム等のボタンで、下面に押圧部１Ａが形成されると共に、下方外周に形成された薄肉部１Ｂによって、節度感をもって上下動可能なように形成されている。
【００２１】
そして、３はポリエチレンテレフタレート等のフィルム状の可撓性を有する上シート、４は同じく下シートで、上シート３下面には銀やカーボン等の複数の可動接点３Ｂ、下シート４上面には可動接点３Ｂと所定の間隙を空けて対向する複数の固定接点４Ｂが各々印刷形成されると共に、上シート３下面のエポキシやポリエステル樹脂等の上絶縁層３Ａと下シート４上面の下絶縁層４Ａとが、加熱加圧によって貼り合わされてメンブレンスイッチ２が形成されている。
【００２２】
また、１１は亜鉛メッキ鋼板等の基板で、端部に複数の貫通孔１１Ｂが設けられると共に、基板１１上面には両面テープ（図示せず）等により下シート４下面が貼り付けられて、メンブレンスイッチ２が載置されている。
【００２３】
さらに、この基板１１には、図２の要部斜視図に示すように、端部の貫通孔１１Ｂよりも外方に、プレス加工等によって基板１１上面を凹状、下面を凸状に折曲して、ストッパ部１１Ａが形成されている。
【００２４】
また、６はメンブレンスイッチ２や基板１１等を覆う絶縁樹脂製のケースで、このケース６上面の開口孔から複数のボタン１が突出して、パネルスイッチ１７が構成されている。
【００２５】
そして、このように構成されたパネルスイッチ１７は、基板１１裏面に防水用のゴムシート８を挟んで、機器の亜鉛メッキ鋼板等のシャーシ板９へネジ１０により締付けられ固定される。
【００２６】
なお、この時、ネジ１０をシャーシ板９へ強く締付けたとしても、基板１１下面には、例えば厚さ１ｍｍのゴムシート８に対し、高さ０．６〜０．７ｍｍ程度のストッパ部１１Ａが設けられているため、ゴムシート８を撓めながらある程度締付けた後は、このストッパ部１１Ａがシャーシ板９上面へ当接し、それ以上は締付けることができないため、ケース６や基板１１の反りが防止され、メンブレンスイッチ２の可動接点３Ｂと固定接点４Ｂの間隙の変化がなく、安定した電気的接離が得られるように構成されている。
【００２７】
さらに、ストッパ部１１Ａは貫通孔１１Ｂよりも基板１１の外方に設けられているため、中央部寄りの内方に設けた場合に比べ、ネジ１０を強く締付けた後も、ケース６や基板１１の中央部には下方向への力が加わった状態となり、上方への反りを生じ難くすることができる。
【００２８】
以上の構成において、所定のボタン１を下方へ押圧操作すると、ボタン１下面の押圧部１Ａに上面を押圧された上シート３が撓んで、この下面の可動接点３Ｂがシート４上面の固定接点４Ｂに接触し、ボタン１への押圧力を解除すると、上シート３の弾性復帰力により可動接点３Ｂが固定接点４Ｂから離れることによって、スイッチとしての電気的接離が行なわれるように構成されている。
【００２９】
このように本実施の形態によれば、基板１１の貫通孔１１Ｂ近傍に下方へ突出するストッパ部１１Ａを設けることによって、ケース６や基板１１の反りを防止することができるため、電気的接離の安定したパネルスイッチを得ることができるものである。
【００３０】
また、ストッパ部１１Ａを貫通孔１１Ｂよりも基板１１の外方に設けることによって、ネジ１０締付け時に、ケース６や基板１１の中央部に下方向への力が加わるため、さらに上方への反りを生じ難くすることができる。
【００３１】
さらに、基板１１上面を凹状、下面を凸状に折曲してストッパ部１１Ａを形成することによって、プレス加工等の簡易な方法でストッパ部１１Ａを形成できるため、パネルスイッチ１７を安価に製作することができる。
【００３２】
なお、以上の説明では、平坦な上シート３下面に可動接点３Ｂを形成し、これを下シート４上面の固定接点４Ｂと所定の間隙を空けて対向させる構成として説明したが、上シート３の可動接点３Ｂの周囲を上方へドーム状に突出成形し、押圧操作時に節度感触をもたせるようにしたものとしても、本発明の実施は可能である。
【産業上の利用可能性】
【００３３】
本発明によるパネルスイッチは、ケースや基板の反りを防止することができるため、電気的接離の安定したパネルスイッチを得ることができるという効果を有し、工作機械や自動車の入力操作用スイッチ等として有用である。
【図面の簡単な説明】
【００３４】
【図１】本発明の一実施の形態によるパネルスイッチの断面図
【図２】同要部斜視図
【図３】従来のパネルスイッチの断面図
【符号の説明】
【００３５】
１  ボタン
１Ａ  押圧部
１Ｂ  薄肉部
２  メンブレンスイッチ
３  上シート
３Ａ  上絶縁層
３Ｂ  可動接点
４  下シート
４Ａ  下絶縁層
４Ｂ  固定接点
６  ケース
８  ゴムシート
９  シャーシ板
１０  ネジ
１１  基板
１１Ａ  ストッパ部
１１Ｂ  貫通孔
１７  パネルスイッチ
【図１】
2005056696.tif 000003
【図２】
2005056696.tif 000004
【図３】
2005056696.tif 000005